(57)【要約】【課題】本発明は、タッチパネルの電源を入れた状態で、誤操作を生じることなく、入力操作面をきれいに清掃することができるパネルクリーナを提供する。【解決手段】タッチパネルの電源が入っている状態で、タッチパネルの汚れている入力操作面に所定の圧力で接触しながら相対移動して、入力操作面上の汚れを吸着するパネルクリーナであって、入力操作面に対する対向面が所定サイズの平面同等部分５であるベース３と、ベース３の平面相当部分５を覆うよう取り付けられ、入力操作面に接触して入力操作面上の汚れを吸着するクロスシート４と、を備える。また、クロスシートが、本体に着脱自在に取り付けられることもできる。この場合、ベースに相対向する一対の細長い溝を貫通形成し、この一対の細長い溝にクロスシートの両端を挿入する。【選択図】図１
2008250429.tif 000002
【特許請求の範囲】
【請求項１】
タッチパネルの電源が入っている状態で、該タッチパネルの汚れている入力操作面に所定の圧力で接触しながら相対移動して、該入力操作面の前記汚れを吸着するパネルクリーナであって、
前記入力操作面に対する対向面が所定サイズの平面相当部分である本体と、
該本体の前記平面相当部分を覆うように取り付けられ、前記入力操作面に接触して該入力操作面の前記汚れを吸着する拭き取りシートと、
を備えていることを特徴とするパネルクリーナ。
【請求項２】
前記拭き取りシートが、前記本体に着脱自在に取り付けられることを特徴とする請求項１に記載のパネルクリーナ。
【請求項３】
前記本体に相対向する一対の細長い溝が貫通形成され、該一対の細長い溝に前記拭き取りシートの両端が挿入されていることを特徴とする請求項２に記載のパネルクリーナ。
【請求項４】
前記本体が棒状のスタイラスペンであり、該スタイラスペンの一端に前記入力操作面に対する入力部が設けられ、該スタイラスペンの他端に前記平面相当部分が設けられたことを特徴とする請求項１〜３の何れか１項に記載のパネルクリーナ。
【請求項５】
前記本体に、前記タッチパネルのフレームと前記入力操作面との境界部分の汚れを落とすためのブラシが設けられていることを特徴とする請求項１〜４の何れか１項に記載のパネルクリーナ。
【請求項６】
前記本体の前記平面相当部分と前記拭き取りシートとの間に、弾性を有する弾性部材が介設されていることを特徴とする請求項１〜５の何れか１項に記載のパネルクリーナ。
【発明の詳細な説明】
【技術分野】
【０００１】
本発明は、タッチパネルの入力操作面の汚れを落とすために用いられるパネルクリーナに関する。
【背景技術】
【０００２】
一般に、タッチパネルは、入力操作面に透明なフィルムを有し、このフィルムの入力エリア内の任意の位置が所定の力で押されることにより情報入力が行われる情報機器であり、入力形式により、指入力されるものと、ペン入力されるものとがある。指入力タイプのタッチパネルでは、入力の操作のたびに指に付いている油などが入力操作面に付着し、透明な入力操作面を汚れによって曇らせたり、油分によって入力操作面上で光を反射させたりして、入力操作面を見えづらくするということがある。また、人によって程度の差はあるが、入力操作には支障がなくても入力操作面の汚れを不快に感ずるということもある。近年では、入力操作面に防汚処理がなされているものもあるが、汚れを目立たせない／汚れを拭き取り易くするといった程度であり、入力操作面をきれいに保つには布などを用いて拭くことが必要とされていた。
【発明の開示】
【発明が解決しようとする課題】
【０００３】
布などを用いて入力操作面の汚れを拭き取る際、タッチパネルの電源が入っていなければ誤操作を生ずることはないが、タッチパネルの電源が入っている場合には意図しない誤操作を生ずることがある。これは、布などを介して入力操作面に加えられた力が、透明なフィルムを撓ませ、タッチパネルの相対向する一対の電極面が電気的に接触することにより生ずるためである。電源を入れた状態で清掃を行う場合は、例えば、電源を入れたときに起動に時間がかかるタッチパネルを搭載する情報機器を操作する場合や、タッチパネルを介して情報入力中の場合などが該当する。実際に、入力操作面の汚れを意識するのは、タッチパネルの電源を入れた状態で認識することが多い。例えば、カーナビゲーションシステムのように、随時情報を更新する機器を使用している場合には、誤操作を生じるという理由で、入力操作面を清掃するために電源を切ることはあまり行われていない。
【０００４】
誤操作を防止するためには、入力画面を拭く力を弱くする必要があるが、一方で、拭く力を弱くすると汚れをきれいに拭き取ることができず、清掃本来の目的を達成することができないという問題があった。すなわち、一方の問題を解決すると、他方の問題を解決することができないというジレンマがあった。
【０００５】
そこで、本発明は、タッチパネルの電源を入れた状態で、誤操作を生じることなく、入力操作面をきれいに清掃することができるパネルクリーナを提供することを目的とする。
【課題を解決するための手段】
【０００６】
上記問題を解決するため、請求項１に記載のパネルクリーナは、タッチパネルの電源が入っている状態で、該タッチパネルの汚れている入力画面に所定の圧力で接触しながら相対移動して、該入力操作面の前記汚れを吸着するパネルクリーナであって、前記入力操作面に対する対向面が所定サイズの平面相当部分である本体と、該本体の前記平面相当部分を覆うように取り付けられ、前記入力操作面に接触して該入力操作面の前記汚れを吸着する拭き取りシートと、を備えていることを特徴とする。
【０００７】
請求項２に記載された発明は、請求項１に記載のパネルクリーナにおいて、前記拭き取りシートが、前記本体に着脱自在に取り付けられることを特徴とする。
【０００８】
請求項３に記載された発明は、請求項２に記載のパネルクリーナにおいて、前記本体に相対向する一対の細長い溝が貫通形成され、該一対の細長い溝に前記拭き取りシートの両端が挿入されていることを特徴とする。
【０００９】
請求項４に記載された発明は、請求項１〜３の何れか１項に記載のパネルクリーナにおいて、前記本体が棒状のスタイラスペンであり、該スタイラスペンの一端に前記入力操作面に対する入力部が設けられ、該スタイラスペンの他端に前記平面相当部分が設けられたことを特徴とする。
【００１０】
請求項５に記載された発明は、請求項１〜４の何れか１項に記載のパネルクリーナにおいて、前記本体に、前記タッチパネルのフレームと前記入力操作面との境界部分の汚れを落とすためのブラシが設けられていることを特徴とする。
【００１１】
請求項６に記載された発明は、請求項１〜５の何れか１項に記載のパネルクリーナにおいて、前記本体の前記平面相当部分と前記拭き取りシートとの間に、弾性を有する弾性部材が介設されていることを特徴とする。
【発明の効果】
【００１２】
本願発明によれば、タッチパネルの入力操作面には、パネルクリーナの平面相当部分に取り付けられている拭き取りシートが広い面積で接触するから、パネルクリーナを介して入力操作面を押す力が分散され、タッチパネルを押下する力が弱められる。したがって、タッチパネルの電源を入れた状態で清掃を行っても、誤操作を生じることなく、入力操作面をきれいにすることができる。
【００１３】
また、拭き取りシートは本体に着脱自在に取り付けられるから、汚れた古い拭き取りシートを取り外し、汚れていない新しい拭き取りシートを取り付けることで、本体を再利用することができる。
【００１４】
また、本体としてのスタイラスペンの一端に入力部が設けられ、スタイラスペンの他端に平面相当部分が設けられているから、スタイラスペンに情報入力の機能とクリーニング機能を持たせることができる、スタイラスペンの高機能化することができる。
【００１５】
また、本体にはブラシが設けられているから、従来綺麗に清掃することができなかった汚れが溜まりやすいタッチパネルのフレームと入力操作面との境界部分をきれいに清掃することができる。
【００１６】
また、平面相当部分と拭き取りシートとの間に介設されている弾性部材によって、パネルクリーナを押す力が弾性部材によって和らげられ、パネルクリーナを介して入力画面に衝撃が加わるのを回避することができる。
【発明を実施するための最良の形態】
【００１７】
以下に本発明の実施の形態の具体例を図面を用いて詳細に説明する。図１には、本発明に係るパネルクリーナの第１の実施形態を示す。
【００１８】
図１に示すように、本実施形態のパネルクリーナ１は、ＬＣＤ(Liquid Crystal Display)やＰＤＰ(Plasma Display Panel)などの装置に固定される図示しないタッチパネルの入力操作面の清掃に用いられ、タッチパネルの入力操作面に対する対向面が平面であるベース（本体）３と、このベース３の平面に取り付けられている拭き取りシートとしてのクロスシート４とからなっている。
【００１９】
タッチパネルは、通常使用されるものであり、フレームの内側に入力エリアとしての所定のギャップが形成されるように、対向配置されて貼り合わされている固定側のガラス基板と可動側のフィルム基板とを備えている。ガラス基板とフィルム基板の対向面には、電極面がそれぞれ形成されている。ガラス基板の電極面には、所定の力でフィルム基板を押さない限り、対向する電極面が不用意に接触しないようにするために、所定のピッチ間隔で樹脂製のドット・スぺーサが点在している。タッチパネルの入力操作面を指で押す場合、通常は、０．５Ｎ（５０ｇｆ）〜１．５Ｎ(１５０ｇｆ)の力で押さない限り、タッチパネルに情報が入力されないように設定されている。
【００２０】
タッチパネルは、フィルム基板の入力エリア内の任意の箇所が押されることにより、フィルム基板が撓んでガラス基板とフィルム基板の対向面が接触し、検出された接触点の電位に基づいて２次元座標が算出され、装置本体に対して入力データが与えられるようになっている。２次元座標の検出原理は従来と同じである。
【００２１】
本実施形態のパネルクリーナ１は、タッチパネルの入力操作面に０．５Ｎ（５０ｇｆ）〜１．５Ｎ(１５０ｇｆ)の力が加わらないようになっている。ベース３は、矩形板状に樹脂成形されたものであり、平坦な上面（平面相当部分）５及び下面と、側面７とを有している。上面５はクロスシート４を取り付けるための取り付け面であるが、下面が平坦であるある限り下面にクロスシート４を取り付けることもできる。本実施形態のベース３では、上下が区別されないため、片面又は両面にクロスシート４を取り付けることができる。
【００２２】
上面５および下面は、パネルクリーナ１を用いてタッチパネルの入力操作面を拭く際に、入力操作面とパネルクリーナ１の上面５および下面とが、クロスシート４を介して広い接触面積で接触する程度の平面性があれば十分である。例えば、パネルクリーナ１の上面５および下面の面積は、ドットスペーサ４ポイント分を覆う形状／面積を最小とし、設置されたパネルサイズを最大とする。
【００２３】
上面５の面積が大きいパネルクリーナ１は、タッチパネルの画面サイズが大きい場合に有用となるが、パネルクリーナ１とタッチパネルの片当たりは、パネルクリーナ１の上面５の面積が大きくなるに従い生じやすくなる傾向にある。このため、上面５の面積を大きく形成する場合には、上面５の中央がやや盛り上がるように、目視では平面と曲面とを区別できない程度で、上面を大きな曲率半径の凸曲面になるように形成することもできる。
【００２４】
クロスシート４には、例えば、厚手の綿などの布を用いることができる。クロスシート４を厚手にすることで、クロスシート４自体に弾力を生じ、タッチパネルの入力操作面に対する接触性を高めることができる。
【００２５】
また、本実施形態では、拭き取りシートにクロスシート４が用いられているが、クロスシート４に代えて他の材質のシートを用いることもできる。例えば、合成繊維や柔らかい上質紙を用いることもできる。合成繊維には、例えば、水分や油分や塵埃などを繊維間のミクロ空間に素早く吸着保持する極細短繊維のポリエステルを用いることができる。このようなポリエステルは、洗濯により拭き取り効果が回復し、繰り返し使用できる利点がある。拭き取りシートとして拭き取り性の良い材質を選択することで、大きな力を加えることなく、タッチパネルの入力操作面をきれいにすることができる。このため、拭き取りシートの材質面からも、タッチパネルの入力操作面の清掃時に生ずる誤操作の防止に寄与することができる。
【００２６】
クロスシート４の取り付け方法には、種々の方法を適用することができる。例えば、両面テープやマジックテープ（登録商標）や接着剤を用い、ベース３の上面５に対応する寸法に裁断されたクロスシート４を取り付けることができる。両面テープやマジックテープ（登録商標）を用いた場合は、汚れて古くなったクロスシートをきれいな新しいクロスシートに交換することができ、パネルクリーナ１の経済性を高めることができる。
【００２７】
次に、本発明に係るパネルクリーナの第２の実施形態について説明する。図２に示すように、本実施形態のパネルクリーナ２Ａは、クロスシート４がベース６Ａに対して着脱自在に取り付けられる点で第１の実施形態のパネルクリーナ１と相違している。第１の実施形態のパネルクリーナ１では、クロスシート４がベース３に対して接着剤で固定されている場合には、クロスシート４を取り外すことができない構成となっているが、本実施形態では、ベース６Ａに相対向する一対の細長い溝８，８（図２（ｂ））がベース６Ａの板厚方向に貫通形成され、この一対の溝８，８にクロスシート４の両端が挿入されるようになっている。このため、汚れたクロスシートを取り外し、きれいなクロスシートに取り替えることができる。その他の構成は、第１の実施形態と同様であるため、重複した説明は省略することとする。
【００２８】
図３は、本発明に係るパネルクリーナの第３の実施形態を示す。本実施形態のパネルクリーナ２Ａは、ペン入力部１０を一端に有するベースとしてのスタイラスペン９を備えている。スタイラスペン９の他端には、スポンジ状のシート１２が取り付けられた平面部（後端）１１が形成されている。スポンジ状のシート１２は、第１，２の実施形態のクロスシート４に代わるものである。このように、パネルクリーナ２Ａをペン状に形成することで、一旦をスタイラスペン９の入力部１０として使用でき、他端をタッチパネルの入力操作面の清掃に利用することができる。
【００２９】
図４は、本発明に係るパネルクリーナの第４の実施形態を示す。本実施形態のパネルクリーナ２Ｃは、ベース３の側面にタッチパネルの非入力エリアとしてのフレームと入力エリアの入力操作面との境界部分の汚れを落とすためのブラシ１３が設けられている点で第１の実施形態のパネルクリーナ１と相違している。その他の構成は第１の実施形態と同様である。本実施形態により、従来綺麗に清掃することができなかった汚れが溜まりやすいタッチパネルのフレームと入力操作面との境界部分をきれいに清掃することができる。
【００３０】
図５は、本発明に係るパネルクリーナの第５の実施形態を示す。本実施形態のパネルクリーナ２Ｄは、平板上のベース３と、このベース３の平面に取り付けられているクロスシート４と、ベース３とクロスシート４との間にあるゴムシート（弾性部材）１４とからなっている。ゴムシート１４は、板厚方向に弾性を有しており、クロスシート４とタッチパネルの入力操作面との接触性を高めるものである。ゴムシート１４を設けることで、クロスシート４に薄手のものを使用することができる。また、パネルクリーナを押す力が弾性部材によって和らげられ、パネルクリーナを介して入力画面に衝撃が加わるのを回避することができる。
【００３１】
以上により、本発明によれば、タッチパネルの入力操作面を広い面積のパネルクリーナで押圧するから、入力操作面を押す力が分散され、タッチパネルを押下する力が弱められる。このため、タッチパネルの電源を入れた状態で清掃を行っても、誤操作を生じることなく、入力操作面をきれいにすることができる。
【００３２】
なお、本発明は上記実施形態に制限するものではなく、他の形態で実施することもでき、種々の形態での実施が許容される。例えば、第３の実施形態を除いて、拭き取りシートにはクロスシートが用いられているが、極細繊維を有するポリエステルなどの合成繊維や柔らかい上質紙を用いることもできる。汚れの吸着性の良い拭き取りシートを有するパネルクリーナを利用することで、本発明の効果をより一層助長することができる。
【図面の簡単な説明】
【００３３】
【図１】本発明に係るパネルクリーナの第１の実施形態を示す斜視図である。
【図２】同じく本発明に係るパネルクリーナの第２の実施形態を示し、（ａ）は斜視図、（ｂ）は正面図である。
【図３】同じく本発明に係るパネルクリーナの第３の実施形態を示す平面図である。
【図４】同じく本発明に係るパネルクリーナの第４の実施形態を示す斜視図である。
【図５】同じく本発明に係るパネルクリーナの第４の実施形態を示す斜視図である。
【符号の説明】
【００３４】
１，２Ａ〜２Ｄ    パネルクリーナ
３    ベース
４    クロスシート
５    上面
７    側面
８    溝
９    スタイラスペン
１０    入力部
１３    ブラシ
１４    ゴムシート
【図１】
2008250429.tif 000003
【図２】
2008250429.tif 000004
【図３】
2008250429.tif 000005
【図４】
2008250429.tif 000006
【図５】
2008250429.tif 000007